(57)【特許請求の範囲】
【請求項１】
容器本体と、異材質で形成され前記容器本体の底部分に取り付けられる異材質部材である底部材とを有する異材質部材組付容器であって、
前記底部材は、前記容器の底部分に嵌着する嵌着部と、該嵌着部に対し相対的に変形可能な屈曲部と、前記嵌着部と共に引き上げ可能な引上部と、を有し、前記屈曲部に隣接して板状材を挿入可能な開口部を形成すると共に、該開口部に臨む嵌着部の裏側に前記板状材を挿入可能な構造とし、挿入した該板部材を回動する際に、前記屈曲部は前記容器本体の底部分に当接して支点となり、前記引上部は作用点として引き上げられることを特徴とする異材質部材組付容器。
【請求項２】
前記屈曲部は、前記開口部、及びこれに連続するスリットにより囲まれて屈曲片として形成され、該屈曲片は前記開口部の反対端で前記嵌着部と連続していることを特徴とする請求項１記載の異材質部材組付容器。
【請求項３】
前記屈曲部は、前記開口部と可撓部によって囲まれることを特徴とする請求項１記載の異材質部材組付容器。
【発明の詳細な説明】
【０００１】
【発明の属する技術分野】
本発明は、容器の底部分に容器本体とは異なる材質を以て形成された部材を取り付けた異材質部材組付容器に関するものであり、特に前記容器本体と部材の分離を容易なものとする異材質部材組付容器に関するものである。
【０００２】
【従来の技術】
各種瓶類やスプレー缶、ペットボトルなどにおいて、美観や耐衝撃性、容器の安定性等を高める理由から、このような容器本体の底部分等に異材質で形成された別部材を嵌着して構成することがある。このような異材質部材はその商品を使用している間は容器本体に嵌着されている必要があり、不用意に外れてしまうことがないよう堅固に取り付けられている。
【０００３】
【発明が解決しようとする課題】
しかしながら近年に於いては資源のリサイクル運動の高まりからゴミの分別収集、資源の再利用が広く行われるようになってきた。従って上記の如き異材質部材を有する商品は、これを破棄する際には容器本体と異材質部材を分離させる必要がある。しかし上述のように堅固に取り付けられた異材質部材を分離させることは難しく、結果として収集された容器が再資源として利用されないという問題点があった。
【０００４】
【課題を解決するための手段】
上記課題を解決するために本発明に係る異材質部材組付容器は、容器本体と、異材質で形成され前記容器本体の底部分に取り付けられる異材質部材である底部材とを有する異材質部材組付容器であって、前記底部材は、前記容器の底部分に嵌着する嵌着部と、該嵌着部に対し相対的に変形可能な屈曲部と、前記嵌着部と共に引き上げ可能な引上部と、を有し、前記屈曲部に隣接して板状材を挿入可能な開口部を形成すると共に、該開口部に臨む嵌着部の裏側に前記板状材を挿入可能な構造とし、挿入した該板部材を回動する際に、前記屈曲部は前記容器本体の底部分に当接して支点となり、前記引上部は作用点として引き上げられることを特徴とする。
【０００５】
また前記屈曲部は、前記開口部、及びこれに連続するスリットにより囲まれて屈曲片として形成され、該屈曲片は前記開口部の反対端で前記嵌着部と連続していることを特徴とする。
【０００６】
また本発明の他の構成は、前記屈曲部が、前記開口部と可撓部によって囲まれることを特徴とする。
【０００７】
【発明の実施の形態】
図を用いて本発明に係る異材質部材組付容器の第一実施例を説明する。図１は第一実施例に係る異材質部材組付容器の外観斜視図、図２は底面図、図３は底部斜視図、図４は底部の側面断面図であって、異材質部材を取り外す際の動作を説明する図である。
【０００８】
図１に示すように、本実施例に係る異材質部材組付容器（以下容器Ａという）はガラス製の容器本体１と、合成樹脂性の底部材２とから構成されている。
【０００９】
容器本体１は断面長円の円筒体であって、容器本体１上部の肩部には細い円筒状の首部11が設けられている。首部11外周にはネジが形成され、図示しない蓋を嵌合するよう構成されている。また容器本体１の底部12には図４に示すように底段部13が形成され、該底段部13の側面に係合溝13ａが形成されている。
【００１０】
底部材２は合成樹脂性の部材であって、下面は容器本体１の断面と等しい形状及び寸法を有し、これを容器本体１へ取り付けることによって容器本体１の外周面と面一となって意匠的に一体となる。
【００１１】
底部材２は、図３及び図４に示すように、容器本体１側に後退した揚底部21と、その周辺に立設される周側辺20とから構成されている。揚底部21は容器本体１の底面から所定の間隔を有して形成されている。また周側辺20の内側に係止突起20ａが設けられており、該係止突起20ａを係合溝13ａに噛合させることにより底部材２が容器本体１に取り付けられている。
【００１２】
また揚底部21に横長の、後述するコインを挿入しうる開口部23が形成されており、この開口部23及びこれに連続する２本のスリット22ｃにより囲まれて、屈曲片22が形成されている。屈曲片22は開口部23の反対端で揚底部21へ連続している。
【００１３】
なお、上記屈曲片22以外の底部材２の部分が嵌着部となる。開口部23の一辺であって屈曲片22の反対側の辺は引上部21ａとなっている。なおこの屈曲片22の先端の上面側には傾斜面22ａを形成し、これと平行に引上部21ａに傾斜面21ｂを形成することにより、コイン３を引上部21ａ内部側に挿入しやすいように構成されている。また、屈曲片22先端の容器本体１側には突起22ｂが設けられて容器本体１に当接している。
【００１４】
上記の如く構成された容器Ａから異材質部材である底部材２を分別させる際の操作を図３及び図４を用いて説明する。まず図３及び図4(a)に示すように、開口部23にコイン３等の板状部材を挿入する。このとき揚底部21及び屈曲片22にそれぞれ傾斜面21ｂ、22ａが形成され、且つ揚底部21と容器本体１との間に間隙が形成されていることにより、これら傾斜面21ｂ，22ａに沿ってコイン３は案内され、引上部21ａの下方にコイン３の先端を挿入させることができる。
【００１５】
そしてコイン３を図３及び図4(b)に示す矢印Ｘのように容器Ａ中央側に向けて倒す。すると、コイン３の中途部の裏面が傾斜面22ａに当接し、この部分を支点としてコイン３の先端が矢印Ｙ方向に回動する。すなわち梃子の原理により、コイン３の先端が引上部21ａを引き上げることができる。このとき屈曲片22は梃子の支点として容器本体１に押え込まれるが、屈曲片22は突起22ｂにより容器本体１に当接し、これ以上下がることがない。
【００１６】
一方でコイン３先端の力は引上部21ａを容器本体から離す方向に加えられ、引上部21ａ及び周囲の揚底部21を引き上げる。この時、コイン３により押さえられた屈曲片22は、開口部23の反対端において引上部21ａ及びその他の揚底部21に対して相対的にねじれるため、これら引上部21ａ等の引き上げが可能となる。屈曲片22は容器本体１とは直接係合していないため、この作業により図4(c)に示すように係止突起20ａと係合溝13ａの噛合が解除されることにより、底部材２が容器本体１から分離される。
【００１７】
このようにして、底部材２は、容器使用時には容器本体１に嵌着させておくことが可能であると共に、容器を破棄する際にはコイン３を開口部に差し込んで所定方向へ力を加えることによって簡単に両者を分別させることが可能となる。
【００１８】
次に、本発明に係る異材質部材組付容器の第二実施例を図５を用いて説明する。図５は第二実施例に係る容器Ｂであって(a) は底部側面断面図、(b) は異材質部材を取り外す際の動作を説明する図である。上記第一実施例を説明の重複する部分については、同一の符号を付して説明を省略する。
【００１９】
本実施例の容器Ｂは、図5(a)に示すように揚底部21と容器本体１の底面との間に間隔を設けず、代わりに容器本体１底部の開口部23に対応する位置に凹部14を形成している。この凹部14は開口部23、及び開口部23の揚底部21側の辺である引上部21ａに対応して配置されており、引上部21ａが凹部14上にかぶさるように突出している。
【００２０】
また、本実施例では可撓部24の内面にＶ字溝25を設けて、より容易に屈曲し得るよう構成されている。これにより、引上部21ａを引き起こす際に折り曲げるべき可撓部24の断面積を減少させて必要とされる力を減少させると共に、屈曲位置を特定することができる。
【００２１】
このように構成した底部材を分別させる際には、図5(a)に破線にて示すようにコイン３を開口部23から凹部14へ深く差し込み、屈曲片22先端を支点としてコイン３を図5(b)に示す矢印Ｘ方向に回動させると、コイン３先端が矢印Ｙ方向に回動する。凹部14により、コイン３先端から屈曲辺22先端までの長さ、即ち回動部分を長くとることができ、コイン３は図5(b)に示すように引上部21ａを内面から引き上げて、係止突起20ａと係合溝13ａの噛合を解除させることができる。
【００２２】
このことから容器本体１の底部と揚底部21との間に空隙を設ける必要がなくなり、重心を下げて安定性を向上させることができる。また可撓部24の内面にＶ字溝25が形成されていることから、少ない力を以て屈曲させることができると同時に、屈曲位置の特定を行うことができ、より簡単に噛合を解除させることができる。
【００２３】
また図６を用いて本発明に係る第三の実施例を説明する。上記第一及び第二実施例と説明の重複する部分については、同一の符号を付して説明を省略する。図６に示す容器Ｃは開口部23に蓋を設けた例であって、(a) は底部側面断面図、(b) は底面図、(c) は異材質部材を取り外す際の動作を説明する図である。
【００２４】
本実施例の容器Ｃにおいては、図6(a)に示すように、開口部23を塞ぐように蓋26を設けている。この蓋26は屈曲片22を延長させることにより形成され、蓋26と屈曲片22との境界である可撓部26ａの内側にＶ字溝26ｂを形成し、蓋26のみの屈曲を可能としている。
【００２５】
上記の如く構成した容器Ｃにおいて容器本体１と底部材２とを分別する際には、図6(c)に示すように、まず蓋26を底部材２の内側に折り込みながらコイン３を開口部23に挿入する。蓋26の可撓部26ａの内面にＶ字溝26ｂが形成されているので、蓋26は容易に折れて開口部23を開くことができる。
【００２６】
そして第一実施例と同様に、開口部23にコイン３を挿入した状態でコイン３を矢印Ｘ方向に倒すことによって、底部材２を容器本体１より分別させることができる。特に本実施例では、使用時に開口部53を覆い隠すことができ、外観上の美観を損なうことがない。
【００２７】
次に、図７を用いて本発明に係る異材質部材組付容器の第四の実施例を説明する。図７は本実施例に係る容器Ｄであって、(a) は底部側面断面図、(b) は底面図、(c) は異材質部材を取り外す際の動作を説明する図である。上記第一乃至第三実施例と説明の重複する部分については、同一の符号を付して説明を省略する。
【００２８】
本実施例に係る容器Ｄは上記容器Ａ乃至Ｃと同様断面長円の円筒体であって、容器本体４と、該容器本体４の底部42に嵌着された異材質部材である底部材５とから構成されている。図7(a)に示すように、容器本体４の底部42には底段部43が形成され、該底段部43の下面には後述する凹部45が形成されている。
【００２９】
底部材５は容器本体４側に後退した揚底部51と、その周辺に立設される周側辺50とから構成されている。周側辺50の外面は容器本体４の外面と一致する形状及び寸法に形成される。底部材５は両面テープ46にて容器本体４の底段部43に貼着されている。
【００３０】
また図7(b)に示すように長円形状の揚底部51の中央部には、２つの横長の開口部53とそれぞれの開口部53から連続するスリット52ｂを形成しており、これらで囲まれる部分に、二つの屈曲片52が形成されている。二つの屈曲片52は互いに対向する側の辺、即ち揚底部51中央側の辺にて揚底部51と連続しており、この部分にブリッジ54が形成される。また屈曲片52先端の容器本体４側には突起52ａが形成されて、容器本体４に当接している。
【００３１】
また開口部53の屈曲片52に対向する部分を引上部51ａとする。一方、開口部53及び引上部51ａに対応する容器本体４の底部には凹部45が形成され、引上部51ａの下側にはコイン３先端が侵入し得る。
【００３２】
上記の如く構成された容器Ｄから異材質部材である底部材５を分別する際の操作を説明する。まず図7(a)に破線にて示すように、コイン３等の板状部材を開口部53から凹部45に挿入する。次にコイン３の後端を図7(c)の矢印Ｘに示すように容器Ｄ中心に向かって倒すと、コイン３先端が梃子の原理により屈曲片52先端を支点として矢印Ｙ方向に回動する。
【００３３】
すると、凹部45内に挿入されたコイン３の先端が反対方向に移動して、引上部51ａを引き上げる方向へ力を加えることとなり、両面テープ46が剥離する。同様の作業をもう一方の開口部53においても行う。屈曲片52は容器本体４に係合していないため、両側の両面テープ46をはがすことにより、容器本体４と底部材５との接合が解除される。ここで、コイン３の中途部が屈曲片52を容器本体４側に押圧するが、屈曲片52がブリッジ54付近で屈曲することにより、相対的に引上部51ａ及び他の揚底部51が容器本体４から引き上げられる。
【００３４】
次に、図８を用いて本発明に係る異材質部材組付容器の第五の実施例を説明する。図８は本実施例に係る容器Ｅであって、(a) は底部正面断面図、(b) は底面図、(c) は底部側面断面図、図９は異材質部材を取り外す際の動作を説明する図である。
【００３５】
本実施例に示す容器Ｅは、断面長円のガラス製円筒体である容器本体６と、該容器本体６の底部62に嵌着された合成樹脂性の底部材７とから構成されている。図8(a)に示すように容器本体６の底部62には底段部63が形成され、該底段部63の側面に係合溝63ａが形成されている。
【００３６】
底部材７は、図8(a)、図8(b)に示すように、容器本体６側に後退した揚底部71と、その周辺に立設される周側辺70とから構成されている。また周側辺70の内側に係止突起70ａが設けられており、該係止突起70ａを係合溝63ａに噛合させることにより底部材７が容器本体６に取り付けられている。
【００３７】
また揚底部71の一部には長軸と平行な一辺に於いて開口部73が形成されている。この開口部73に接してこの開口部73に連続するように、揚底部71の裏面にＶ字型のＶ字溝75が形成されている。このＶ字溝75が形成された部分は他の部分に比べて肉薄となるために、特に可撓性が高く、この部分が可撓部74となる。これら開口部73及び可撓部74によって囲まれることにより、屈曲部72が形成されている。
【００３８】
開口部73の、屈曲部72に対向する部分が引上部71ａとなっており、また容器本体６の底部は開口部73に対応する位置においてへこんでおり、ここに凹部64が形成されている。この凹部64は引上部71ａの下側へ入り込むように形成されており、引上部71ａの下側にコイン３の先端が侵入可能な空間が形成される。
【００３９】
上記の如く構成した底部材を分別させる際には、図９に示す如く開口部73から凹部74内にコイン３を挿入し、コイン３の先端を引上部71ａの下側へ到達させる。しかる後にコイン３を矢印Ｘに示すごとく容器本体６の中心に向かって回動させることにより、コイン３は屈曲部72先端を支点として矢印Ｙ方向に回動し、屈曲部72を容器本体６に押し付けると同時に引上部71ａを引き上げる方向に力を加える。
【００４０】
このとき底部材７が合成樹脂性であって且つＶ字溝75により可撓部74が形成されていることから、底部材７が主に可撓部74において撓み、屈曲部72が容器本体６に押し付けられながらも引上部71ａが引き上げられる。この引上部71ａの引上げに伴って周側辺70も引き上げられ、係止突起70ａと係合溝63ａとの噛合が解除される。容器本体６と底部材７は容器本体６の底部両端にて噛合されているが、一方の噛合を解除してずらすことにより他方の噛合をも解除することができ、底部材７を容器本体６から分離させることとなる。
【００４１】
なお、上記いずれの実施例も容器本体をガラスで、肩部材及び底部材を合成樹脂で形成したが、その他スプレー缶のような金属製部材と樹脂性部材を混在させた容器、またはペットボトルのように異なった合成樹脂（例えば、ＡＢＳとポリプロピレン）を用いる容器にも応用できることは勿論である。
【００４２】
【発明の効果】
本発明に係る異材質部材組付容器は、上述の如く異材質部材の底部に設けた開口部にコイン等の板状部材を差し込んで回動させることによって、梃子の原理により軽い力にて容器本体と異材質部材との結合を解除、すなわち分離させることができる。したがって異材質部材を商品が使用されている間は不用意に外れることがないよう堅固に取り付けても、廃棄する際には一般消費者によっても容易に分別させることが可能である。
【図面の簡単な説明】
【図１】第一実施例に係る異材質部材組付容器の外観斜視図である。
【図２】底面図である。
【図３】底部斜視図である。
【図４】底部の側面断面図であって、異材質部材を取り外す際の動作を説明する図である。
【図５】第二実施例に係る容器Ｂであって、(a) は底部側面断面図、(b) は異材質部材を取り外す際の動作を説明する図である。
【図６】第三実施例に係る容器Ｃであって、(a) は底部側面断面図、(b) は底面図、(c) は異材質部材を取り外す際の動作を説明する図である。
【図７】第四実施例に係る容器Ｄであって、(a) は底部側面断面図、(b) は底面図、(c) は異材質部材を取り外す際の動作を説明する図である。
【図８】第五実施例に係る容器Ｅであって、(a) は底部正面断面図、(b) は底面図、(c) は底部側面断面図である。
【図９】容器Ｅの異材質部材を取り外す際の動作を説明する図である。
【符号の説明】
Ａ，  Ｂ，  Ｃ，  Ｄ，  Ｅ    …容器
Ｘ，  Ｙ    …矢印
１，  ４，  ６    …容器本体
２，  ５，  ７    …底部材
３    …コイン
11    …首部
12，  42，  62    …底部
13，  43，  63    …底段部
13ａ，63ａ  …係合溝
14，  45，  64    …凹部
20，  50，  70    …周側辺
20ａ，70ａ  …係止突起
21，  51，  71    …揚底部
21ａ，51ａ，71ａ  …引上部
21ｂ  …傾斜面
22，  52    …屈曲片
22ａ  …傾斜面
22ｂ，52ａ  …突起
22ｃ，52ｂ  …スリット
23，  53，  73    …開口部
24，  26ａ，74    …可撓部
25，  26ｂ，75  …Ｖ字溝
26    …蓋
46    …両面テープ
54    …ブリッジ
72    …屈曲部
【図１】
0003655405.tif 000002
【図２】
0003655405.tif 000003
【図３】
0003655405.tif 000004
【図４】
0003655405.tif 000005
【図５】
0003655405.tif 000006
【図６】
0003655405.tif 000007
【図７】
0003655405.tif 000008
【図８】
0003655405.tif 000009
【図９】
0003655405.tif 000010